(57)【要約】【課題】超高解像度放送と高解像度放送とが混在して放送されている場合でも、ユーザが超高解像度放送だけを選択して受信すること。【解決手段】超高解像度放送と高解像度放送との放送チャンネルを受信可能な受信機と、前記受信機の操作を行うリモートコントローラとを備えた受信システムであって、前記リモートコントローラは、前記超高解像度放送と前記高解像度放送との放送チャンネルの中で、所定の解像度の放送チャンネルを除外してチャンネルを選択する第１のチャンネル選択モードと、前記超高解像度放送と前記高解像度放送の全ての放送チャンネルを選択する第２のチャンネル選択モードとを有することを特徴とする受信システム。【選択図】図３
2017069729.tif 000002
【特許請求の範囲】
【請求項１】
超高解像度放送と高解像度放送との放送チャンネルを受信可能な受信機と、
前記受信機の操作を行うリモートコントローラとを備えた受信システムであって、
前記リモートコントローラは、前記超高解像度放送と前記高解像度放送との放送チャンネルの中で、所定の解像度の放送チャンネルを除外してチャンネルを選択する第１のチャンネル選択モードと、前記超高解像度放送と前記高解像度放送の全ての放送チャンネルを選択する第２のチャンネル選択モードとを有する
ことを特徴とする受信システム。
【請求項２】
前記リモートコントローラは、前記超高解像度放送と前記高解像度放送との放送チャンネルを選択するための入力切替ボタンを有し、
前記入力切替ボタンの操作の後の所定の期間、前記リモートコントローラは前記第１のチャンネル選択モードに設定され、前記所定の期間の経過の後に、前記第２のチャンネル選択モードに設定される
ことを特徴とする請求項１に記載の受信システム。
【請求項３】
前記リモートコントローラは、更に、前記入力切替ボタンを光らせる発光部を有し、
前記第１のチャンネル選択モードに設定されているか又は前記第２のチャンネル選択モードに設定されているかに応じて前記発光部を点灯又は消灯させる
ことを特徴とする請求項２に記載の受信システム。
【請求項４】
超高解像度放送と高解像度放送との放送チャンネルを受信可能な受信システムの受信方法であって、
前記受信システムは、前記超高解像度放送と前記高解像度放送との放送チャンネルの中で、所定の解像度の放送チャンネルを除外してチャンネルを選択する第１のチャンネル選択モードと、前記超高解像度放送と前記高解像度放送との全ての放送チャンネルを選択する第２のチャンネル選択モードとのいずれかに設定するステップ、
を含むことを特徴とする受信方法。
【発明の詳細な説明】
【技術分野】
【０００１】
本発明は、受信システム及び受信方法に関する。
【背景技術】
【０００２】
次世代テレビジョン放送サービスとして、４Ｋ（３８４０ｘ２１６０）超高精細度テレビジョン放送（ＵＨＤＴＶ；Ｕｌｔｒａ  Ｈｉｇｈ  Ｄｅｆｉｎｉｔｉｏｎ  Ｔｅｌｅｖｉｓｉｏｎ、以下、４Ｋ放送という）の試験放送が開始されている。さらに、８Ｋ（７６８０ｘ４３２０）超高精細度テレビジョン放送（以下、８Ｋ放送という）に関する研究開発が進められている。このような８Ｋ超高解像度テレビジョン放送（以下、超高解像度放送という）において、伝送路符号化方式は、新たな方式である高度広帯域衛星デジタル放送方式（例えば、非特許文献１参照）を基本とすることが検討されている。
【先行技術文献】
【非特許文献】
【０００３】
【非特許文献１】一般社団法人  電波産業会、”ＡＲＩＢ  ＳＴＤ−Ｂ６０  １．１版  デジタル放送におけるＭＭＴによるメディアトランスポート方式  標準規格”
【非特許文献２】一般社団法人  電波産業会、”ＡＲＩＢ  ＳＴＤ−Ｂ１０  ５．４版デジタル放送に使用する番組配列情報  標準規格”
【発明の概要】
【発明が解決しようとする課題】
【０００４】
上述の通り、超高解像度放送は、新たな方式である高度広帯域衛星デジタル放送方式で放送されることになる。また、この高度広帯域衛星デジタル放送方式は、８Ｋ放送や４Ｋ放送のような超高解像度放送ばかりでなく、２Ｋ（２０４８ｘ１０８０）放送を行うことが可能である。
【０００５】
しかしながら、高度広帯域衛星デジタル放送方式で、８Ｋ放送や４Ｋ放送ばかりでなく、２Ｋ放送が送信可能であると、高度広帯域衛星デジタル放送方式を使って、８Ｋ放送と、４Ｋ放送と、２Ｋ放送が混在して放送される可能性がある。このように、８Ｋ放送と、４Ｋ放送と、２Ｋ放送とが混在して放送されると、受信側では、ユーザが８Ｋ放送や４Ｋ放送のような超高解像度放送を楽しもうと考えて、高度広帯域衛星デジタル放送方式のチャンネルを選択したにもかかわらず、２Ｋ放送の番組が選択されてしまうようなことがあり得る。
【０００６】
本発明は、上述の課題を鑑み、超高解像度放送と高解像度放送とが混在して放送されている場合でも、ユーザが超高解像度放送だけを選択して受信することができる受信システム及び受信方法を提供することを目的とする。
【課題を解決するための手段】
【０００７】
上述の課題を鑑み、本発明の一態様に係る受信システムは、超高解像度放送と高解像度放送との放送チャンネルを受信可能な受信機と、前記受信機の操作を行うリモートコントローラとを備えた受信システムであって、前記リモートコントローラは、前記超高解像度放送と前記高解像度放送との放送チャンネルの中で、所定の解像度の放送チャンネルを除外してチャンネルを選択する第１のチャンネル選択モードと、前記超高解像度放送と前記高解像度放送の全ての放送チャンネルを選択する第２のチャンネル選択モードとを有することを特徴とする。
【０００８】
本発明の一態様に係る受信方法は、超高解像度放送と高解像度放送との放送チャンネルを受信可能な受信システムの受信方法であって、前記受信システムは、前記超高解像度放送と前記高解像度放送の放送チャンネルの中で、所定の解像度の放送チャンネルを除外してチャンネルを選択する第１のチャンネル選択モードと、前記超高解像度放送と前記高解像度放送との全ての放送チャンネルを選択する第２のチャンネル選択モードとのいずれかに設定するステップ、を含むことを特徴とする。
【発明の効果】
【０００９】
本発明によれば、超高解像度放送の放送チャンネルの中で、所定の解像度の放送チャンネルを除外してチャンネルを選択するチャンネル選択モードが設定できるので、超高解像度放送と高解像度放送とが混在して放送されている場合でも、ユーザが超高解像度放送のチャンネルだけを選択して受信できる。
【図面の簡単な説明】
【００１０】
【図１】本発明の第１の実施形態に係る受信システムの構成を示す説明図である。
【図２】本発明の第１の実施形態に係る受信システムにおけるリモートコントローラの外観構成の説明図である。
【図３】本発明の第１の実施形態に係る受信システムにおけるリモートコントローラの動作の説明図である。
【図４】高度広帯域衛星デジタル放送方式の放送システムの構成の一例を示す概略図である。
【図５】高度広帯域衛星デジタル放送方式の送信装置の構成の一例を示すブロック図である。
【図６】本発明の第１の実施形態に係る受信システムにおける受信装置の構成の一例を示すブロック図である。
【図７】本発明の第１の実施形態に係る受信システムにおける受信装置の制御部の一例を示すブロック図である。
【図８】本発明の第１の実施形態に係る受信システムにおけるリモートコントローラの構成の一例を示すブロック図である。
【図９】本発明の第１の実施形態に係る受信システムにおけるリモートコントローラの動作を示すフローチャートである。
【発明を実施するための形態】
【００１１】
以下、図面を参照して、本発明の第１の実施形態について説明する。
（第１の実施形態）
本発明の第１の実施形態について、図面を参照しながら説明する。なお、以下の説明においては、本発明のデジタル放送受信装置を、単に「受信装置」という。まず始めに、本発明の第１の実施形態の概要を説明する。
【００１２】
図１は、本発明の第１の実施形態に係る受信システム１００の構成を示す説明図である。図１に示すように、本発明の第１の実施形態に係る受信システム１００は、受信装置３１と、受信装置３１を操作するリモートコントローラ４１とからなる。受信装置３１は、高度広帯域衛星デジタル放送方式で放送される超解像度放送が受信可能である。
【００１３】
図２は、受信装置３１を操作するためのリモートコントローラ４１の外観構成を示すものである。図２に示すように、リモートコントローラ４１には、電源ボタン４１１、地上波デジタルボタン４１２、ＣＳボタン４１３、ＢＳボタン４１４、ＳＨＶボタン４１５、アップボタン４１６、ダウンボタン４１７等、複数の操作ボタンが配設されている。電源ボタン４１１は、受信装置３１の電源のオン／オフを行うボタンである。地上波デジタルボタン４１２、ＣＳボタン４１３、ＢＳボタン４１４、ＳＨＶボタン４１５は、放送入力を切り替える入力切替ボタンである。アップボタン４１６、ダウンボタン４１７は、チャンネルのアップ／ダウンを行うボタンである。また、本実施形態では、ＳＨＶボタン４１５を光らせるライトが内蔵されている。
【００１４】
ユーザが地上波デジタルボタン４１２を押下して、アップボタン４１６又はダウンボタン４１７を操作すると、地上波デジタル放送の中で、受信装置３１の受信チャンネルがアップ又はダウンされる。
ユーザがＣＳボタン４１３を押下して、アップボタン４１６又はダウンボタン４１７を操作すると、ＣＳ放送の中で、受信装置３１の受信チャンネルがアップ又はダウンされる。
【００１５】
ユーザがＢＳボタン４１４を押下して、アップボタン４１６又はダウンボタン４１７を操作すると、ＢＳ放送の中で、受信装置３１の受信チャンネルがアップ又はダウンされる。
ユーザがＳＨＶボタン４１５を押下して、アップボタン４１６又はダウンボタン４１７を操作すると、高度広帯域衛星デジタル放送方式の放送の中で、受信装置３１の受信チャンネルがアップ又はダウンされる。
【００１６】
なお、ＳＨＶボタン４１５が押下されると、ＳＨＶボタン４１５のライトが所定時間点灯する。ＳＨＶボタン４１５のライトが点灯している間と、所定時間経過してライトが消灯した後では、アップボタン４１６又はダウンボタン４１７を操作したときのチャンネル選択モードが異なる。
【００１７】
つまり、ユーザがＳＨＶボタン４１５を押下すると、図２（Ａ）に示すように、ＳＨＶボタン４１５のライトが所定時間点灯する。ライトが点灯している間に、ユーザがアップボタン４１６又はダウンボタン４１７を操作すると、高度広帯域衛星デジタル放送方式の放送（超高解像度放送）の中で、２Ｋ放送のチャンネルが除外されて、受信装置３１の受信チャンネルがアップ又はダウンされる。
【００１８】
ＳＨＶボタン４１５が押下されてから、又はアップボタン４１６若しくはダウンボタン４１７が押下されてから所定時間経過すると、図２（Ｂ）に示すように、ＳＨＶボタン４１５のライトは消灯する。ライトが消灯してからユーザがアップボタン４１６又はダウンボタン４１７を操作すると、高度広帯域衛星デジタル放送方式で放送を行っている全てのチャンネル内で、受信装置３１の受信チャンネルがアップ又はダウンされる。
【００１９】
図３は、本発明の第１の実施形態に係る受信装置３１において、リモートコントローラ４１のＳＨＶボタン４１５を操作したときの説明図である。図３（Ａ）に示すように、高度広帯域衛星デジタル放送方式の放送のチャンネル「１００」、「１０１」、「１０２」、「１０３」、「１０４」、…があり、各チャンネルで、「プロ野球ＨＴチーム対ＣＤチーム」、「プロ野球ＨＣチーム対ＹＧチーム」、「プロ野球ＳＬチーム対ＲＥチーム」、「ドラマＡ」、「映画Ｘ」を放送しているとする。これらの放送は、全て、高度広帯域衛星デジタル放送方式の放送ではあるが、チャンネル「１００」は８Ｋ放送、チャンネル「１０１」は２Ｋ放送、チャンネル「１０２」は８Ｋ放送、チャンネル「１０３」は２Ｋ放送、チャンネル「１０４」は４Ｋ放送であるとする。
【００２０】
この場合、図３（Ｂ）に示すように、ＳＨＶボタン４１５を押下して、ライトが点灯している間に、アップボタン４１６又はダウンボタン４１７を操作すると、チャンネル「１００」、「１０２」、「１０４」、…のように、２Ｋ放送のチャンネルが除外され、４Ｋ放送又は８Ｋ放送を行っているチャンネルのみにチャンネルが切り替えられる。
【００２１】
これに対して、図３（Ｃ）に示すように、ＳＨＶボタン４１５を押下してから所定時間経過し、ライトが消灯してから、アップボタン４１６又はダウンボタン４１７を操作すると、チャンネル「１００」、「１０１」、「１０２」、「１０３」、「１０４」、…のように、ＳＶＨ放送の全てのチャンネルに切り替えられる。
【００２２】
このように、本実施形態では、ＳＨＶボタン４１５を押下して、ライトが点灯している間にアップボタン４１６又はダウンボタン４１７を操作すると、２Ｋ放送のような解像度のチャンネルが除外され、８Ｋ放送や４Ｋ放送のような超高解像度の放送番組だけが選択される。これにより、高度広帯域衛星デジタル放送方式で、８Ｋ放送と、４Ｋ放送と、２Ｋ放送とが混在して放送されている場合でも、８Ｋ放送や４Ｋ放送の番組だけを選択して視聴することができる。なお、２Ｋ放送のチャンネルが除外されて受信チャンネルがアップ又はダウンされる状態であるかどうかは、ＳＨＶボタン４１５のライトにより、視認可能である。
【００２３】
（放送システムの構成）
図４は、高度広帯域衛星デジタル放送方式の放送システムの構成の一例を示す概略図である。放送システム１は、送信装置１１と、放送伝送路１２と、受信装置３１と、を含んで構成される。放送システム１において、送信装置１１と、受信装置３１との台数は、一般的にそれぞれ複数であるが、以下の説明においては、説明を容易にするため、送信装置１１と、受信装置３１との台数が、それぞれ１台である放送システム１の場合について説明する。
【００２４】
また、以下の説明では、放送システム１におけるデジタル放送のメディアトランスポート方式として、例えば、ＭＭＴ（ＭＰＥＧ  Ｍｅｄｉａ  Ｔｒａｎｓｐｏｒｔ）方式（例えば、非特許文献１参照）が採用されている場合について説明する。
【００２５】
送信装置１１は、放送事業者等が有する放送設備を構成する。例えば、送信装置１１は、放送事業者等が放送波を送信するための電波送信基地局である。送信装置１１は、放送番組の内容を示す番組データ及び構成情報を、逐次、放送伝送路１２を介して受信装置３１へ送信する。番組データは、映像データと音声データとを含む。但し、番組データは、音声データを含んでいなくてもよい。構成情報とは、放送番組の構成要素、及び放送により提供されるサービスの構成要素について定義した情報である。
【００２６】
放送伝送路１２は、送信装置１１が送信する各種のデータを、同時に多数の受信装置３１に対して、伝送する伝送路である。放送伝送路１２は、例えば、放送衛星１３、または電波塔１４によって中継される所定の周波数であってもよい。なお、放送伝送路１２の一部には、通信回線が含まれてもよい。
【００２７】
受信装置３１は、送信装置１１から放送伝送路１２を介して放送波を受信する。受信装置３１は、放送波で伝送された番組データと構成情報とを取得する。また、受信装置３１は、番組データから、映像データと音声データとを取得する。受信装置３１は、取得した映像データが示す映像を表示する。また、受信装置３１は、取得した音声データが示す音声（声や音楽の音）を再生する。以上のように、受信装置は、ＳＨＶ対応のフロントエンドとＭＭＴに対応している受信部を備える。
【００２８】
（送信装置の構成）
図５は、高度広帯域衛星デジタル放送方式の送信装置１１の構成の一例を示すブロック図である。
送信装置１１は、番組データ取得部１１１、構成情報取得部１１３、多重化部１１４、暗号化部１１５、及び送信部１１６を含んで構成される。
【００２９】
番組データ取得部１１１は、放送番組を構成する映像データと音声データとを取得する。
番組データ取得部１１１は、所定の映像符号化方式で符号化された映像データを取得する。例えば、所定の映像符号化方式は、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
【００３０】
また、番組データ取得部１１１は、所定の音声符号化方式で符号化された音声データを取得する。例えば、所定の音声符号化方式は、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００３１】
番組データ取得部１１１は、取得した映像データ及び音声データから所定の形式の番組データを生成する。番組データ取得部１１１は、生成した番組データを多重化部１１４に出力する。例えば、所定の形式の番組データは、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００３２】
構成情報取得部１１３は、構成情報を取得する。構成情報とは、上述したように放送番組の構成要素、及び放送により提供されるサービスの構成要素について定義した情報である。
例えば、構成情報は、ＴＬＶ−ＳＩ（Ｔｙｐｅ  Ｌｅｎｇｔｈ  Ｖａｌｕｅ−Ｓｙｓｔｅｍ  Ｉｎｆｏｒｍａｔｉｏｎ）と、ＭＭＴ−ＳＩ（ＭＭＴ−Ｓｙｓｔｅｍ  Ｉｎｆｏｒｍａｔｉｏｎ）とを含む。
ＴＬＶ−ＳＩは、ＩＰパケットの多重に関する制御情報であり、選局のための情報やＩＰアドレスとサービスとの対応情報を提供する。ＭＭＴ−ＳＩは、放送番組の構成などを示す制御情報である。
【００３３】
ＴＬＶ−ＳＩは、ＴＬＶ−ＮＩＴ（ＴＬＶ−Ｎｅｔｗｏｒｋ  Ｉｎｆｏｒｍａｔｉｏｎ  Ｔａｂｌｅ；ＴＬＶ用ネットワーク情報テーブル）と、ＡＭＴ（Ａｄｄｒｅｓｓ  Ｍａｐ  Ｔａｂｌｅ）のテーブルによって構成される。ＴＬＶ−ＮＩＴは、ネットワークにより運ばれるＴＬＶストリームの物理的構成に関する情報、及びネットワーク自身の特性を表す。ＡＭＴは、放送番組番号を識別するサービス識別子とＩＰパケットとを関連付ける情報を提供する。
【００３４】
また、例えば、構成情報は、ＰＳＩ（Ｐｒｏｇｒａｍ  Ｓｐｅｃｉｆｉｃ  Ｉｎｆｏｒｍａｔｉｏｎ；番組特定情報）等を含む。また、ＰＳＩには、ＮＩＴ（Ｎｅｔｗｏｒｋ  Ｉｎｆｏｒｍａｔｉｏｎ  Ｔａｂｌｅ；ネットワーク情報テーブル）等を含む。
【００３５】
なお、上記のＴＬＶ−ＳＩ、ＭＭＴ−ＳＩ、ＴＬＶ−ＮＩＴ、ＡＭＴ、及びＮＩＴは、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；一般社団法人  電波産業会）が、非特許文献１及び非特許文献２等において規定している標準規格である。
構成情報取得部１１３は、取得した構成情報を多重化部１１４に出力する。
【００３６】
多重化部１１４は、番組データ取得部１１１から入力された番組データと、構成情報取得部１１３から入力された構成情報と、を多重化して、所定の形式の多重化データを生成する。例えば、所定の形式の多重化データとは、ＴＬＶ（Ｔｙｐｅ  Ｌｅｎｇｔｈ  Ｖａｌｕｅ）パケットである。多重化部１１４は、生成した多重化データを暗号化部１１５に出力する。
【００３７】
暗号化部１１５は、多重化部１１４から入力された多重化データを所定の暗号化方式を用いて暗号化する。例えば、所定の暗号化方式とは、ＡＥＳ（Ａｄｖａｎｃｅｄ  Ｅｎｃｒｙｐｔｉｏｎ  Ｓｔａｎｄａｒｄ）やＭＵＬＴＩ２である。暗号化部１１５は、暗号化した多重化データを送信部１１６に出力する。
【００３８】
送信部１１６は、暗号化部１１５から入力された多重化データを、放送伝送路１２を介して受信装置３１へ送信する。ここで、送信部１１６は、ベースバンド信号である多重化データで所定の搬送周波数を有する搬送波を変調させる。送信部１１６は、搬送周波数に対応したチャンネル帯域の電波（放送波）をアンテナ（図示せず）により放射する。
【００３９】
なお、上述の高度広帯域衛星デジタル放送方式の送信装置１１は、８Ｋ放送のような超高精細度テレビジョン放送とともに、４Ｋ放送や２Ｋ放送を送信することができる。
【００４０】
（受信装置の構成）
次に、受信装置３１の構成について説明する。図６は、本発明の第１の実施形態に係る受信装置３１の構成の一例を示すブロック図である。
【００４１】
受信装置３１は、受信部３１１、復号部３１２、分離部３１３、音声復号部３１４、再生部３１６、映像復号部３１７、映像合成部３１８、表示部３１９、記憶部３２２、操作入力部３２３、及び制御部３３１を含んで構成される。
【００４２】
受信部３１１（チューナー）は、送信装置１１が送信した放送波を、放送伝送路１２を介してアンテナ（図示せず）により受信する。受信部３１１は、受信した受信信号を制御部３３１から入力される選局信号で指定されるチャンネルの周波数でベースバンド信号にダウンコンバートすることにより多重化データに変換する。受信部３１１は、変換した多重化データを復号部３１２に出力する。
【００４３】
復号部３１２は、受信部３１１から入力された多重化データ（暗号化されている）を、送信装置１１の暗号化部１１５で用いられた方式に対応する復号方式（例えば、ＡＥＳ）で復号し、復号された多重化データを生成する。復号部３１２は、生成した多重化データを分離部３１３に出力する。
【００４４】
分離部３１３は、復号部３１２から入力された復号後の多重化データから番組データ及び構成情報に分離する。さらに、分離部３１３は、番組データから映像データと音声データとを抽出する。分離部３１３は、抽出した映像データを映像復号部３１７へ出力する。また、分離部３１３は、抽出した音声データを音声復号部３１４へ出力する。また、分離部３１３は、構成情報を制御部３３１へ出力する。
【００４５】
音声復号部３１４は、分離部３１３から音声データを取得する。音声復号部３１４は、取得した音声データを復号する。復号は、符号化に用いられた符号化方式と対応する復号方式によってなされる。それによって、音声復号部３１４は、元の音声データを生成する。復号した音声データは、各時刻における音声のレベルを示すデータである。例えば、符号化に用いられる符号化方式とは、ＭＰＥＧ−４  オーディオである。
音声復号部３１４は、復号した音声データを再生部３１６へ出力する。
再生部３１６は、音声復号部３１４から入力された音声データに基づく音声を再生する。例えば、再生部３１６は、スピーカーを含んで構成される。
【００４６】
映像復号部３１７は、分離部３１３から映像データを取得する。映像復号部３１７は、取得した映像データを復号する。復号は、符号化に用いられた符号化方式と対応する復号方式によってなされる。それによって、映像復号部３１７は、元の映像データを生成する。復号した映像データは、各時刻における映像（フレーム画像）を形成する信号値を示すデータである。例えば、符号化に用いられる符号化方式とは、ＨＥＶＣ、ＭＰＥＧ−２  ビデオである。
映像復号部３１７は、復号した映像データを映像合成部３１８へ出力する。
【００４７】
映像合成部３１８は、映像復号部３１７から映像データを取得する。また、映像合成部３１８は、制御部３３１から放送選択画面等を示す通知画像データ等を取得する。例えば、映像合成部３１８は、映像データに基づく映像上に、通知画像データに基づく放送選択画面等の映像を重ねた映像を生成する。
映像合成部３１８は、生成した映像に基づく映像データを表示部３１９へ出力する。
【００４８】
表示部３１９は、映像合成部３１８から取得した映像データに基づく映像を表示する。
例えば、表示部３１９は、液晶ディスプレイ、有機ＥＬ（Ｅｌｅｃｔｒｏｌｕｍｉｎｅｓｃｅｎｃｅ）ディスプレイ、等を含んで構成される。
【００４９】
記憶部３２２は、各種のデータやプログラムを記憶する記憶媒体である。
例えば、記憶部３２２には、自らの受信装置３１が受信可能な放送に関する情報を示すデータ等を記憶する。受信可能な放送とは、例えば、地上波デジタル放送、衛星デジタル放送（ＢＳ、ＣＳ）、及び高解像度放送（４Ｋ放送、８Ｋ放送）等である。
【００５０】
例えば、記憶部３２２は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００５１】
操作入力部３２３は、受信装置３１の利用者による操作入力を受け付ける。操作入力部３２３は、受け付けた操作入力に基づいて生成される操作信号を生成する。操作入力部３２３は、生成した操作信号を制御部３３１へ出力する。
例えば、操作入力部３２３が生成する操作信号とは、電源のオン／オフを示す信号、放送波のチャンネルを示す信号、等である。
この一例においては、操作入力部３２３は、リモートコントローラ４１から操作信号を受信する入力インターフェースである。
【００５２】
制御部３３１は、コンピュータ（ＣＰＵ）を含む。制御部３３１は、記憶部３２２に格納されたソフトウェア（プログラム）を実行する。それによって、制御部３３１は、受信装置３１の種々の動作を制御する。
【００５３】
（制御部の構成）
次に、制御部３３１の構成について更に詳しく説明する。図７は、本発明の第１の実施形態に係る制御部３３１の構成の一例を示すブロック図である。
制御部３３１は、情報取得部３３１１と、コマンド判定部３３１２と、選局部３３１３と、を含んで構成される。
【００５４】
情報取得部３３１１は、分離部３１３から構成情報（例えば、ＮＩＴやＰＡＴ、またはＴＬＶ−ＮＩＴやＡＭＴ）を取得したことに基づいて、取得した構成情報を含む放送波の情報を判定する。例えば、情報取得部３３１１は、高度広帯域衛星デジタル放送方式の放送のチャンネルの各チャンネルの番組の情報を取得する。また、情報取得部３３１１は、高度広帯域衛星デジタル放送方式のチャンネルの情報とともに、放送している番組が、８Ｋ放送、４Ｋ放送、又は２Ｋ放送の何れかであるかの情報（例えば、ＮＩＴのサービス情報記述子）を取得する。情報取得部３３１１で取得された情報は、記憶部３２２に保存される。
【００５５】
選局部３３１３は、操作入力部３２３から入力された操作信号により放送波を受信するチャンネルを選択する。選局部３３１３は、選択したチャンネルを示す選局信号を受信部３１１へ出力する。なお、選局部３３１３は、高度広帯域衛星デジタル放送方式のチャンネルを選択する場合、情報取得部３３１１で取得された情報により、高度広帯域衛星デジタル放送方式のチャンネルのうち２Ｋ放送を除くチャンネルの切り替えと、全ての高度広帯域衛星デジタル放送方式のチャンネルの切り替えとを行うことができる。
【００５６】
コマンド判定部３３１２は、リモートコントローラ４１からのコマンド信号を受信し、コマンド信号を判定する。例えば、コマンド判定部３３１２は、選局のコマンド信号を受信すると、このコマンド信号に基づいて、選局部３３１３によりチャンネルを選択する。
【００５７】
（リモートコントローラの構成）
次に、リモートコントローラ４１の構成について更に詳しく説明する。図８は、本発明の第１の実施形態に係るリモートコントローラ４１の構成の一例を示すブロック図である。
【００５８】
リモートコントローラ４１は、操作ボタン４５０と、制御部４５１と、コード記憶部４５２と、ライト４５３と、変調部４５４と、赤外線発光部４５５とを備えている。操作ボタン４５０には、電源ボタン４１１、地上波デジタルボタン４１２、ＣＳボタン４１３、ＢＳボタン４１４、ＳＨＶボタン４１５、アップボタン４１６、ダウンボタン４１７等が含まれる。制御部４５１は、ＣＰＵ等からなり、タイマー４５６を有している。コード記憶部４５２には、操作ボタン４５０に対応するコマンドが記憶されている。ライト４５３は、ＳＨＶボタン４１５を光らせる。変調部４５４は、コード記憶部４５２から出力されたコードを変調する。赤外線発光部４５５は、変調部４５４により変調されたコマンド信号を赤外線信号として送信する。
【００５９】
図９は、本発明の第１の実施形態に係るリモートコントローラ４１において、ＳＨＶボタン４１５が押下されたときの処理を示すフローチャートである。図９において、制御部４５１は、ＳＨＶボタン４１５が押下されたかどうかを判定する（ステップＳ１０１）。ＳＨＶボタン４１５が押下されたと判定されたら（ステップＳ１０１：Ｙｅｓ）、制御部４５１は、タイマー４５６のカウントを開始させるとともに（ステップＳ１０２）、ＳＨＶボタン４１５を光らせるライト４５３を点灯させる（ステップＳ１０３）。そして、制御部４５１は、アップボタン４１６が押下されたかどうかを判定し（ステップＳ１０４）、アップボタン４１６が押下されていなければ（ステップＳ１０４：Ｎｏ）、ダウンボタン４１７が押下されたかどうかを判定する（ステップＳ１０５）。
【００６０】
ステップＳ１０４でアップボタン４１６が押下されたと判定されると（ステップＳ１０４：Ｙｅｓ）、制御部４５１は、高度広帯域衛星デジタル放送方式の中で、２Ｋ放送のチャンネルを除くチャンネルに切り替えるためのチャンネルアップコマンドをコード記憶部４５２から読み出し（ステップＳ１０６）、処理をステップＳ１０２に戻し、タイマー４５６を再カウントする。ステップＳ１０５でダウンボタン４１７が押下されたと判定されると（ステップＳ１０５：Ｙｅｓ）、制御部４５１は、高度広帯域衛星デジタル放送方式の中で、２Ｋ放送を除くチャンネルに切り替えるためのチャンネルダウンコマンドをコード記憶部４５２から読み出し（ステップＳ１０７）、処理をステップＳ１０２に戻し、タイマー４５６を再カウントする。ステップＳ１０４でアップボタン４１６が押下されていないと判定され（ステップＳ１０４：Ｎｏ）、ステップＳ１０５でダウンボタン４１７が押下されていないと判定されると（ステップＳ１０５：Ｎｏ）、更に、ＳＨＶボタン４１５が押下されたかどうかが判定される（ステップＳ１０８）。ステップＳ１０８で、ＳＨＶボタン４１５が押下されたと判定されると（ステップＳ１０８：Ｙｅｓ）、制御部４５１は、処理をステップＳ１０２に戻し、タイマー４５６を再カウントする。
【００６１】
ステップＳ１０８で、ＳＨＶボタン４１５が押下されていないと判定されると（ステップＳ１０８：Ｎｏ）、処理はステップＳ１０９に進み、制御部４５１は、タイマー４５６のタイマー値から、所定時間が経過したかどうかを判定する（ステップＳ１０９）。
【００６２】
制御部４５１は、タイマー値から所定時間経過したと判定すると（ステップＳ１０９：Ｙｅｓ）、ＳＨＶボタン４１５のライト４５３を消灯させる（ステップＳ１１０）。そして、制御部４５１は、アップボタン４１６が押下されたかどうかを判定し（ステップＳ１１１）、アップボタン４１６が押下されていなければ（ステップＳ１１１：Ｎｏ）、ダウンボタン４１７が押下されたかどうかを判定する（ステップＳ１１２）。
【００６３】
ステップＳ１１１でアップボタン４１６が押下されたと判定されると（ステップＳ１１１：Ｙｅｓ）、制御部４５１は、高度広帯域衛星デジタル放送方式の全てのチャンネルに切り替えるためのチャンネルアップコマンドをコード記憶部４５２から読み出し（ステップＳ１１３）、処理をステップＳ１１０に戻す。ステップＳ１１２でダウンボタン４１７が押下されたと判定されると（ステップＳ１１２：Ｙｅｓ）、制御部４５１は、高度広帯域衛星デジタル放送方式の全てのチャンネルに切り替えるためのチャンネルダウンコマンドをコード記憶部４５２から読み出し（ステップＳ１１４）、処理をステップＳ１１０に戻す。
【００６４】
以上の処理により、ＳＨＶボタン４１５を押下して、ライト４５３が点灯している間にアップボタン４１６又はダウンボタン４１７を操作することで、ステップＳ１０２からステップＳ１０９の処理により、第１のチャンネル選択モードとなる。第１のチャンネル選択モードでは、高度広帯域衛星デジタル放送方式のチャンネルの中で２Ｋチャンネルを除くチャンネルだけに切り替えることができる。これにより、高度広帯域衛星デジタル放送方式で、８Ｋ放送と、４Ｋ放送と、２Ｋ放送とが混在して放送されていても、８Ｋ放送や４Ｋ放送のような超高解像度の放送番組だけを選択して視聴できる。
【００６５】
ＳＨＶボタン４１５を押下してから、又はアップボタン４１６若しくはダウンボタン４１７を押下してから所定時間経過すると（ステップＳ１０９：Ｙｅｓ）、ライト４５３が消灯し（ステップＳ１１０）、ステップＳ１１０からステップＳ１１４の処理により、第２のチャンネル選択モードとなる。第２のチャンネル選択モードでは、アップボタン４１６又はダウンボタン４１７を操作することで、高度広帯域衛星デジタル放送方式の全てのチャンネルに切り替えることができる。
【００６６】
なお、ステップＳ１０２からステップＳ１０９の処理により第１のチャンネル選択モードに設定されている間に、又はステップＳ１１０からステップＳ１１４の処理により第２のチャンネル選択モードに設定されている間に他のボタンが押された場合には、その時点で、第１のチャンネル選択モード又は第２のチャンネル選択モードの処理を抜けて、他のボタンの処理となる。
【００６７】
なお、通常の受信機のチャンネルの切り替えでは、ラストチャンネルメモリ機能により、最後に選択されたチャンネルの情報が保存され、次回の電源投入時には、前回の最後のチャンネルが選択される。本実施形態では、最後に選択されたチャンネルが８Ｋ放送であったが、次回、電源を投入して、ＳＨＶボタン４１５を押下してライトを点灯させたときには、そのチャンネルが２Ｋ放送になっている場合が考えられる。この場合には、リモートコントローラ４１は、最後に選択されたチャンネルに最も近い、８Ｋ放送又は４Ｋ放送のチャンネルに切り替えるようにしても良い。
【００６８】
なお、上述の例では、受信装置３１はテレビジョン受信機として説明したが、受信装置３１としては、テレビジョン受信機に接続して使用するセットトップボックスであっても良い。
【００６９】
なお、受信システム１００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７０】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７１】
１００：受信システム
３１：受信装置
４１：リモートコントローラ
４１５：ＳＨＶボタン
４１６：アップボタン
４１７：ダウンボタン
４５１：制御部
４５２：コード記憶部
４５３：ライト
４５４：変調部
４５５：赤外線発光部
４５６：タイマー
【図１】
2017069729.tif 000003
【図２】
2017069729.tif 000004
【図３】
2017069729.tif 000005
【図４】
2017069729.tif 000006
【図５】
2017069729.tif 000007
【図６】
2017069729.tif 000008
【図７】
2017069729.tif 000009
【図８】
2017069729.tif 000010
【図９】
2017069729.tif 000011